(57)【要約】【課題】ファンボックス内に複数のファンを直列に搭載し、ファンボックスの性能向上を図る技術として、ファンとファンの間に整流格子を搭載する技術が知られているが、ファンボックス内の風が最も高速となる壁面側を流れる風の整流が十分ではない。このような状況において、ファンボックス内を流れる風を整流し、ファンボックスの冷却性能を向上させるファンボックス用の整流格子を提供する。【解決手段】  電子機器冷却用のファンボックス用整流格子であって、少なくとも２台の軸流ファンを直列に搭載する電子機器冷却用のファンボックスにおいて、前記少なくとも２台の軸流ファンの間のファンボックス壁面に対して複数の整流板が設置され、前記複数の整流板はファンボックスの壁面に対して垂直に設置され、各整流板の長さは壁面から軸流ファンのボス部までであり、各整流板は相互に接触しないで独立に設置される。【選択図】図２
2010203415.tif 000002
【特許請求の範囲】
【請求項１】
少なくとも２台の軸流ファンを直列に搭載する電子機器冷却用のファンボックスにおいて、前記少なくとも２台の軸流ファンの間のファンボックス壁面に対して複数の整流板が設置されることを特徴とするファンボックス用整流格子。
【請求項２】
前記複数の整流板がファンボックスの壁面に対して垂直に設置されることを特徴とする請求項１記載のファンボックス用整流格子。
【請求項３】
各整流板の長さは壁面から軸流ファンのボス部までであり、各整流板は相互に接触しないで独立に設置されることを特徴とする請求項１記載のファンボックス用整流格子。
【請求項４】
電子機器冷却用ファンボックスの任意の形状に合わせて設置されることを特徴とする請求項１記載のファンボックス用整流格子。
【発明の詳細な説明】
【技術分野】
【０００１】
本発明は電子機器を冷却するファンボックス内部において、複数のファンを直列に搭載する場合に、ファンとファンの間に設置するファンボックス用整流格子に関する。
【背景技術】
【０００２】
近年のLSIは高性能化に伴い発熱量の増加が著しい。電子機器に搭載されるLSIの冷却には軸流ファンを使用するが、機器内の通路抵抗が大きい場合に風量を増やすために２台以上の軸流ファンをファンボックス内に直列に搭載して風量の増加を図るケースが増えている。この際、上流側に搭載されるファンによって発生した旋回流の成分が下流側に搭載されるファンの回転方向と同一であることから、下流側ファンの相対的な回転速度が小さくなるため、ファンボックスの冷却性能は低下する。
【０００３】
上記課題の解決策として、ファンとファンの間に整流板を内包した格子を設置する。整流板とはファンボックス内の風の進行方向に対して平行な平板を指し、この整流板をファンボックスの壁面に沿った格子枠に当てはめたものを整流格子という。整流格子は風上のファンからの旋回流成分の動圧を静圧に変えることにより静圧を増大させる。また、下流側ファンは上流側から流れてくる風の旋回流成分が整流格子により減少されているので、下流側ファンの性能低下を防止し、ファンボックスの性能向上を図ることができる。
【先行技術文献】
【特許文献】
【０００４】
【特許文献１】特開2007-263004
【発明の概要】
【発明が解決しようとする課題】
【０００５】
ファンボックス内に複数のファンを直列に搭載し、ファンボックスの性能向上を図る技術として、ファンとファンの間に整流格子を搭載する技術が知られている。また、ファンボックス内を流れる風が最も高速となるのは壁面側である。このような状況において、ファンボックス内の壁面側を流れる風の旋回流成分を整流する事が可能な整流格子をファンとファンの間に搭載し、下流側ファンの相対回転速度の低下を防止する。
【課題を解決するための手段】
【０００６】
本発明による整流格子は、少なくとも２台の軸流ファンを直列に搭載する電子機器冷却用のファンボックスにおいて、前記少なくとも２台の軸流ファンの間のファンボックス壁面に対して複数の整流板が設置されることを特徴とする。
さらに、本発明による整流格子は、前記複数の整流板がファンボックスの壁面に対して垂直に設置されることを特徴とする。さらに、本発明による整流格子は、各整流板の長さは壁面から軸流ファンのボス部までであり、各整流板は相互に接触しないで独立に設置されることを特徴とする。
【発明の効果】
【０００７】
本発明のファンボックス用整流格子を直列に搭載されるファンとファンの間に搭載することにより、上流側に搭載されるファンの旋回流成分の動圧が静圧に変えられることにより静圧が増大し、下流側のファンは整流格子を通じて受け取る風の旋回流成分が減少するため、下流側のファンの性能低下を防止することができる。
【０００８】
また、整流板の長さが壁面から軸流ファンのボス部までであり、整流板同士が交差せず、接触もしないため、整流板そのものがファンボックス内を流れる風の抵抗になる事を防止している。以上より、電子機器に搭載されるLSI等の発熱体の冷却に大きな効果がある。
【図面の簡単な説明】
【０００９】
【図１】本発明の効果を示す風量-静圧特性のグラフである。
【図２】本発明のファンボックス用整流格子の実施例を示した図である。
【図３】図２のファンボックス用整流格子をファンボックスへ実装した図である。
【図４】本発明の円筒形状のファンボックス用整流格子およびファンボックスへ実装した図である。
【図５】本発明の六角柱状のファンボックス用整流格子およびファンボックスへ実装した図である。
【発明を実施するための形態】
【００１０】
ファンボックス内のファンとファンの間に搭載される整流格子において、ファンと整流格子の間に隙間ができないように搭載されていることが望ましい。
【００１１】
本発明のファンボックス用整流格子の実施例を図２に示す。
本発明による整流格子はファンボックス壁面に対して整流板１を垂直に設置しており、各整流板の搭載間隔はファンボックス壁面から中心部に至るまで均一である。また、整流板の長さは壁面から軸流ファンのボス部までであり、整流板同士が交差せず、接触もしない形状である。
【００１２】
図２のファンボックス用整流格子をファンボックスに搭載した場合のイメージを図３に示す。本発明はファンボックスで直列に搭載されるファンとファンの間に隙間ができないように搭載する。風はファンボックス２に入気３して上流側のファン４によって加速される。加速した風はファンボックス用整流格子５によって整流され、整流格子を通過した風は下流側のファン６によってファンボックス外に排気７される。
【００１３】
本発明の他の実施例として、任意の形状であるファンボックスにファンボックス用整流格子を搭載した例を図４および図５に示す。図４は円筒形のファンボックス８を示しており、搭載ファン9の形状が円筒形であっても、ファンとファンの間にファンボックス用整流格子１０を搭載することが可能であることを示している。図５は六角柱形のファンボックス１１を示しており、搭載ファン１２の形状が六角柱形であっても、ファンとファンの間にファンボックス用整流格子１３を搭載することが可能であることを示している。このように、ファンボックス用整流格子は任意の形状のファンボックスに対して搭載が可能である。
【００１４】
なお、ファンボックス内に直列に搭載されるファンは２台以上ならば何台でも良いが、ファンボックス内に搭載されるファンとファンの間にはファンボックス用整流格子を搭載するものとする。
【００１５】
図１のグラフはファンボックス内にファンを３台搭載した場合の風量-静圧特性を示しており、ファンとファンの間に本発明の整流格子を搭載した場合と、搭載しない場合の風量-静圧特性を比較する事ができる。本発明のファンボックス用整流格子をファンとファンの間に搭載した場合、整流格子を搭載しない場合と比べて静圧が大きい事がわかる。特に、風量が２．０ｍ３/ｍｉｎまでの風量域では特に静圧の差が大きくなっており、この風領域がファンボックス用整流格子の静圧低下を防止する効果が最も高い。
【符号の説明】
【００１６】
１．整流板
２．ファンボックス
３．入気
４．上流側のファン
５．ファンボックス用整流格子
６．下流側のファン
７．排気
８．円筒形状のファンボックス
９．円筒形状のファン
１０．円筒形状のファンボックス用整流格子
１１．六角柱形のファンボックス
１２．六角柱状のファン
１３．六角柱状のファンボックス用整流格子
【図１】
2010203415.tif 000003
【図２】
2010203415.tif 000004
【図３】
2010203415.tif 000005
【図４】
2010203415.tif 000006
【図５】
2010203415.tif 000007